(57)【要約】【課題】簡単な方法により短時間で凹凸が形成された合成樹脂製の容器を形成可能な包装容器とその製造方法を提供する。【解決手段】熱可塑性樹脂製の一枚のブランクシート１６から一体的に打ち抜かれた箱体形成片から成り、箱体形成片には加熱したスタンプ版１８を押圧して形成された凸部１４を備える。スタンプ版１８は、縦横に対称な複数の線状の形状であり、凸部１４は、スタンプ版１８に接触した部分の外側がブランクシート１６に対して一定深さにくぼんだ側周面１４ａと、側周面１４ａの先端に連続し押圧面に対して略平行な端面１４ｂから成る。【選択図】図１
2009029447.tif 000002
【特許請求の範囲】
【請求項１】
熱可塑性樹脂製の一枚のブランクシートから一体的に打ち抜かれた箱体形成片から成り、前記箱体形成片には加熱したスタンプ版を押圧して形成された凹凸が設けられていることを特徴とする包装容器。
【請求項２】
前記スタンプ版は、縦横に対称な複数の線状の形状であり、前記凹凸は、前記スタンプ版に接触した部分の外側が前記ブランクシートに対して一定深さにくぼんだ側周面と、前記側周面の先端に連続し前記押圧面に対して所定間隔離れた端面から成ることを特徴とする請求項１記載の包装容器。
【請求項３】
前記スタンプ版は、縦横に対称な任意の形状の外郭線に沿う一重線の形状であり、前記凹凸は、前記スタンプ版に接触した部分の内側が、前記ブランクシートの、前記スタンプ版を押圧した面から膨出した球面状の凸部であることを特徴とする請求項１記載の包装容器。
【請求項４】
熱可塑性樹脂製の一枚のブランクシートの所定位置に、縦横に対称な任意の形状の加熱したスタンプ版を押圧し、前記スタンプ版の熱により前記ブランクシートに、前記スタンプ版に接触した部分の内側が凹または凸となる凹凸を形成し、前記凹凸が形成された前記ブランクシートを打ち抜いて箱体形成片を設け、前記箱体形成片を容器として組み立てることを特徴とする包装容器の製造方法。
【発明の詳細な説明】
【技術分野】
【０００１】
この発明は、表面に凹凸が形成された合成樹脂製の包装容器とその製造方法に関する。
【背景技術】
【０００２】
従来、商品を収容して店頭に陳列する包装容器には、紙や合成樹脂で作られたブランクシートから一体的に打ち抜かれた箱体形成片を組み立てて作られるものがある。このような包装容器には、消費者に強い印象を与えるように、文字や模様をシート表面から立体的に浮き上がらせて形成するものがある。ブランクシートが紙製の場合は塑性変形しやすく、エンボス加工により簡単に凹凸を設けることができる。一方、ブランクシートが合成樹脂の場合は、シート状のまま折り曲げて箱体を形成していた。また、ブリスターケースのように、凹形状や凸形状の型を用いて真空成型し、内容物の形状に沿った凹部を形成して、内容物をがたつきなく包装したものもある。
【０００３】
その他、特許文献１には、所定の間隔を開けて立体形状が連結する連続真空成形複合板の製造装置が開示されている。この真空成形装置は、所定間隔で連結壁または連通溝を形成する多数の凹部又は凸形状の立方体の並ぶ細孔のある金属板の成形基盤を製作し、これを空気吸引機構に通じる円筒又は多面筒体のロールに貼り付けて回転させ、軟化させた樹脂シートを真空成形するものである。或いは、多数の成形基盤をベルト状に接続して、下部に空気吸引装置をおいて二つの円筒状のドラム間に張って回転させて、真空成形するものである。
【０００４】
また、特許文献２に開示されている包装容器の成形方法は、真空成形や圧空成形において、両端の固定側金型とこれに対応する成形側金型とを先行して閉型することによって、また両端側の外周部のみが楕円形状などの凸状部を有する各々の包装容器の外周部に相当する位置で樹脂シートを固定するようにしたものである。さらに両端の予備成形プラグの押し出し中心軸のみをそれぞれ反両端側にずらして押し出すことによって、特に複数個の両端の包装容器の、開口フランジ部や側壁部や底部などの寸法や厚さのばらつきを解決したものである。
【特許文献１】特開２００４−２３７７３６号公報
【特許文献２】特開平５−１７７６９８号公報
【発明の開示】
【発明が解決しようとする課題】
【０００５】
上記従来の技術の場合、合成樹脂のシートに凹凸を形成するときは、軟化したシートを成形する立体的な凹凸型と、凹凸型とシートの間を真空にする真空装置が必要であり、大きい設備が必要でありコストがかかっていた。さらに、真空にするため加工スピードが遅く、時間もかかっていた。また、包装容器に凹凸を付ける場合は、ブランクシートに文字や絵柄を印刷する印刷工程と、凹凸をつける型押工程の２工程が必要であり、手間と時間がかかるものである。
【０００６】
一方、紙のシートに対して行っているエンボス加工と同様の方法を合成樹脂シートに使用すると、浮き出し部分の周囲に熱が伝わって変形が発生するという問題があり、使用することができなかった。
【０００７】
この発明は、上記従来の技術の問題点に鑑みてなされたものであり、簡単な方法により短時間で凹凸が形成された合成樹脂製の容器を形成可能な包装容器とその製造方法を提供することを目的とする。
【課題を解決するための手段】
【０００８】
本発明は、熱可塑性樹脂製の一枚のブランクシートから一体的に打ち抜かれた箱体形成片から成り、前記箱体形成片には加熱したスタンプ版を押圧して形成された凹凸が設けられている包装容器である。前記ブランクシートは、例えばポリプロピレン製等である。
【０００９】
また、前記スタンプ版は、縦横に対称な複数の線状の形状であり、前記凹凸は、前記スタンプ版に接触した部分の外側が前記ブランクシートに対して一定深さにくぼんだ側周面と、前記側周面の先端に連続し前記押圧面に対して所定間隔離れた端面から成る。
【００１０】
また、前記スタンプ版は、縦横に対称な任意の形状の外郭線に沿う一重線の形状であり、前記凹凸は、前記スタンプ版に接触した部分の内側が、前記ブランクシートの、前記スタンプ版を押圧した面から膨出した球面状の凸部である。
【００１１】
またこの発明は、熱可塑性樹脂製の一枚のブランクシートの所定位置に、縦横に略対称な任意の形状の加熱したスタンプ版を押圧し、前記スタンプ版の熱により前記ブランクシートに、前記スタンプ版に接触した部分の内側が凹または凸となる凹凸を形成し、前記凹凸が形成された前記ブランクシートを打ち抜いて箱体形成片を設け、前記箱体形成片を容器として組み立てる包装容器の製造方法である。
【００１２】
また、前記スタンプ版は円形、渦巻き形、星形、三角形、連続した楕円形等である。スタンプ版が、任意の形状の外郭線に沿う二重線または三重以上の線の形状のときは、前記スタンプ版に接触した部分の内側が、押圧面に対してくぼむ凹部となる。スタンプ版が、任意の形状の外郭線に沿う一重線の形状のときは、前記スタンプ版に接触した部分の内側が、押圧面に対して突出する球面状の凸部となる。
【発明の効果】
【００１３】
本発明の包装容器とその製造方法は、簡単な工程で確実に熱可塑性樹脂製のシートに凹凸を形成し、文字や絵柄を浮き上がらせて消費者に強い印象を与えることができる。また、熱可塑性樹脂シートに形成した凹部に内容物を入れて収容する容器として、少ない部品点数で、商品を振動から保護し、また商品を抑えて固定し回転等を防止することができる。
【発明を実施するための最良の形態】
【００１４】
以下、この発明の実施形態について図面に基づいて説明する。図１はこの発明の第一実施形態を示すもので、この実施形態の包装容器１０は熱可塑性樹脂製であり、後述するブランクシート１６を組み立てて作られている。組み立てられた箱体の側面１２には、外側から見て凸部１４が設けられている。凸部１４は、側面１２から所定高さに立ち上がる円筒状の側周面１４ａと、側周面１４ａの先端部から連続した円形の端面１４ｂにより構成されている。
【００１５】
次に、包装容器１０の製造方法について図２に基づいて説明する。熱可塑性樹脂製のブランクシート１６に所定の絵柄の印刷をした後、図２（ａ）に示すように、スタンプ装置の台２２にセットする。ブランクシート１６は例えばポリプロピレンである。スタンプ版１８は、ブランクシート１６側へ突出する二重円の突起２０が一体に形成された黄銅等の金属である。突起２０は、先端へ近づくにつれて薄肉になっている。
【００１６】
次に、図２（ｂ）に示すように、ブランクシート１６の樹脂の軟化温度に加熱したスタンプ版１８をブランクシート１６の片面である押圧面１６ａに平面的に押圧する。すると、ブランクシート１６は熱により僅かに膨張して変形し、図２（ｃ）に示すように、スタンプ版１８が接触した部分の外側と内側に、押圧面１６ａと反対の反対側面１６ｂへ一定深さにくぼむ側周面１４ａと、側周面１４ａの先端に連続し反対側面１６ｂに対して略平行な端面１４ｂが形成され、凸部１４が設けられる。なお、突起２０の先端面がブランクシート１６に対して斜めになっていると、より深くブランクシート１６をくぼませることができる。
【００１７】
この後、凸部１４が形成されたブランクシート１６を所定形状に打ち抜いて箱体形成片を設け、箱体形成片を所定形状に組み立てて包装容器１０ができる。押圧面１６ａを内側にして組み立てることにより、つまり反対側面１６ｂを外側にして組み立てることにより、凸部１４が包装容器１０の外側に突出する。なお、凸部１４を包装容器１０の内側に突出、つまりくぼみとするときは、押圧面１６ａを外側にして組み立てる。なお、ブランクシート１６を予め所定形状に打ち抜いて箱体形成片とした後に、スタンプ版１８を押圧して凸部１４を形成してもよい。
【００１８】
次に、上述のように形成した包装容器１０の内側に商品を入れる。このとき、商品の一部を凸部１４に係合させると、がたつきが無くなり、また所定位置に保持し回転を防ぐ。
【００１９】
この実施形態の包装容器１０によれば、スタンプ版１８を平面的に加熱して押圧する簡単な工程で、熱可塑性樹脂製のブランクシート１６に立体的に凹凸を形成し、文字や絵柄を部分的に浮き上がらせて消費者に強い印象を与えることができる。また、以下に述べるような作用効果を有する。
【００２０】
この包装容器１０によれば、形成された凹凸に商品の一部を差し込んでがたつきを防止して、商品を振動から保護し、また商品を押えて固定し回転を防止することができる。包装容器１０に商品を押える凹凸を形成することで商品を保持する別体の緩衝部材が不要となり、部品点数を少なくすることができる。厚みの薄い商品用のブリスターパックの代替品として使用することができる。ブリスターパックは、真空成形した熱可塑性樹脂の成形容器と紙台紙の二つの部材が必要であったが、この包装容器１０によれば成型容器が不要となり、一部材にすることができる。安価で簡単に複数個の凹部を形成することができるため、凹部に直接口紅等の試供品を入れる等、安価で簡単に試供品を作ることができる。
【００２１】
また、熱可塑性樹脂製のブランクシート１６に凹凸を形成する工程で、特別な成型用の凹凸型や真空装置を必要としないため、コストが安価で短時間に凹凸を形成することができる。スタンプ版１８を押す工程は、ブランクシート１６に印刷する印刷工程に続けて箔押し工程で凹凸を形成することでき、生産効率が良い。スタンプ版１８は、任意の形状の外郭に沿う突起２０を一定の高さで突出させたものであり、形状が単純で安価に短時間で作ることができ、凹凸の形状の種類を簡単に変更したり増やしたりすることができる。凸部１４にも印刷や箔押し等の加工をすることができ、デザインに制限がなく、自由にデザインすることができる。
【００２２】
次にこの発明の第二実施形態について図３に基づいて説明する。なお、ここで、上記実施形態と同様の部材は同様の符号を付して説明を省略する。この実施形態の包装容器２１は、箱体の側面２４に凸部２６が設けられている。凸部２６は、側面２４から円形に膨出した球面状である。
【００２３】
次に、包装容器２１の製造方法について図４に基づいて説明する。熱可塑性樹脂製のブランクシート１６に所定の絵柄の印刷をした後、図４（ａ）に示すように、スタンプ装置にセットする。スタンプ版３０は、ブランクシート１６側へ突出する一重円の突起３２が形成されている。突起３２は、先端へ近づくにつれて薄肉になっている。
【００２４】
次に、図４（ｂ）に示すように、加熱したスタンプ版３０をブランクシート１６の片面である押圧面１６ａに平面的に押圧する。すると、ブランクシート１６は熱により膨張して変形し、図４（ｃ）に示すように、スタンプ版３０が接触した部分の内側に、押圧面１６ａから凸になる方へ突出する球面状の凸部２６が形成される。
【００２５】
凸部２６が形成されたブランクシート１６を所定形状に打ち抜いて箱体形成片を設け、箱体形成片を所定形状に組み立てて包装容器２１ができる。押圧面１６ａを外側にして組み立てることにより、凸部２６が包装容器２１の外側に突出する。なお凸部２６を包装容器２１の内側に突出、つまりくぼみとするときは、押圧面１６ａを外側にして組み立てる。この後、包装容器２１の内側に商品を入れる。
【００２６】
この実施形態の包装容器２１によれば、上記実施の形態と同様の効果を有するものである。凸部２６は円形で球面なのでシンプルでかわいい印象を与えることができる。複数個を並べたり、大きさが異なるものを設けたりして、自由にデザインすることができる。
【００２７】
次にこの発明の第三実施形態について図５〜図８に基づいて説明する。ブランクシート１６に設けられた凸部の形状は、自由に変更可能である。図５は、ブランクシート１６に中心が高い渦巻き状の凸部３４が形成されているものである。凸部３４は、渦巻き形状のスタンプ版で形成され、ブランクシート１６の反対側面１６ｂに突出して設けられる。図６は、ブランクシート１６に星型の凸部３６が形成されているものである。凸部３６は、星形の三重線のスタンプ版で形成され、図５と同様にブランクシート１６の反対側面１６ｂに突出して設けられる。図７は、外側に僅かに膨出する辺を有する略三角形が、中心を一致させて徐々に大きさが小さくなる４個の相似形に設けられ、中心軸に対して僅かに一定角度づつずらした形状の凸部３８が設けられているものである。凸部３８は、４個の相似形の三角形が、僅かに一定角度づつずらして設けられたスタンプ版で形成される。図８は、大きい径の山と小さい径の山が中腹付近でつなげられている形状の凸部４０が設けられているものである。凸部４０は、二つの山が中腹付近でつなげられている等高線のような４重の線のスタンプ版で形成される。
【００２８】
なお、この発明の包装容器は、上記各実施形態に限定されるものではなく、凹凸の形状は、縦横に略対称な任意の形状であれば自由に変更可能であり、縦横の比率が大きく異なるものはブランクシートにゆがみが生じるが、少しの違いがある場合、形状によっては成形可能である。さらに、箱体形成片は、箱状のものに限らず従来のブリスターパックによる収容部のような凹部を備えたものも含むものである。また、凹凸の数、形成位置も自由に設定可能であり、製造工程等は適宜変更可能である。ブランクシートの素材は、熱可塑性を有する加工が容易なものであればよい。
【図面の簡単な説明】
【００２９】
【図１】この発明の第一実施形態の包装容器の斜視図である。
【図２】この実施形態の包装容器の製造工程を示す概略図である。
【図３】この発明の第二実施形態の包装容器の斜視図である。
【図４】第二実施形態の包装容器の製造工程を示す概略図である。
【図５】この発明の第三実施形態の包装容器の斜視図である。
【図６】第三実施形態の変形例を示す包装容器の斜視図である。
【図７】第三実施形態の変形例を示す包装容器の斜視図である。
【図８】第三実施形態の変形例を示す包装容器の斜視図である。
【符号の説明】
【００３０】
１０  包装容器
１２  側面
１４  凸部
１４ａ  側周面
１４ｂ  端面
１６  ブランクシート
１８  スタンプ版
２０  突起
【図１】
2009029447.tif 000003
【図２】
2009029447.tif 000004
【図３】
2009029447.tif 000005
【図４】
2009029447.tif 000006
【図５】
2009029447.tif 000007
【図６】
2009029447.tif 000008
【図７】
2009029447.tif 000009
【図８】
2009029447.tif 000010